(57)【要約】【課題】コイルの巻回が容易で、しかも、受信感度が良好なアンテナと、このアンテナを備える電子機器とを提供すること。【解決手段】時計ケースの内側に沿う円弧状の磁性体（例えばコア）３１Ａと、前記磁性体３１Ａに巻回されたコイル３２とを備え、電波時計１の時計ケース１０内に設置されるアンテナ３０Ａにおいて、磁性体３１Ａのうち、複数の直線部分３１ａ，３１ｂ，３１ｃの中で少なくとも２以上の直線部分３１ａ，３１ｃに前記コイル３２が互いに非干渉状態となるように分割されて巻回されている。【選択図】図３
2008076165.tif 000002
【特許請求の範囲】
【請求項１】
磁性体と、前記磁性体に巻回されたコイルとを備え、機器ケース内に設置されるアンテナにおいて、前記磁性体は複数の直線部分を備え、その複数の直線部分の中で少なくとも２以上の直線部分に前記コイルが互いに非干渉状態となるように分割されて巻回されていることを特徴とするアンテナ。
【請求項２】
前記磁性体のコイル突出部分は、前記機器ケースの内周に沿って延在する形状に形成されていることを特徴とする請求項１に記載のアンテナ。
【請求項３】
前記２以上の直線部分には、一の直線部分と、その一の直線部分の長手方向両側に位置する２つの直線部分とが含まれ、前記２つの直線部分は、同一直線上に位置し、かつ、前記一の直線部分に対しては段違いに形成されていることを特徴とする請求項１又は２に記載のアンテナ。
【請求項４】
前記２つの直線部分は、前記一の直線部分と、隣り合う端部同士が一部重畳された態様で連結されていることを特徴とする請求項３に記載のアンテナ。
【請求項５】
前記磁性体は屈曲され、前記コイルが巻回される前記２以上の直線部分は屈曲部を挟んだ両側位置に形成されていることを特徴とする請求項１に記載のアンテナ。
【請求項６】
請求項１〜５の何れか一に記載のアンテナを、前記機器ケースである時計ケース内に備えていることを特徴とする電波時計。
【発明の詳細な説明】
【技術分野】
【０００１】
本発明は、アンテナ及び電波時計に関する。
【背景技術】
【０００２】
電子機器の一種として、時刻情報を含む標準電波を受信して自動的に現在時刻を修正する電波時計が知られている。この電波時計においては、デザイン上の観点から、標準電波を受信するアンテナを時計ケースに内蔵するものが近年増えてきている。また、特に腕時計にあっては、近年、高級感を演出するために、時計ケースをステンレスやチタン等の金属で形成する場合も多い。
【０００３】
しかしながら、内蔵式のアンテナの場合には、外付け式のアンテナの場合に比べて、受信感度が落ちるという問題がある。
なぜなら、第一に、アンテナの受信感度はアンテナサイズと比例関係にあるが、内蔵式のアンテナの場合には、時計ケース内に各種時計部品とともに収納する必要があるため、アンテナサイズの制約が外付け式アンテナの場合に比較して厳しく、アンテナサイズを小さくせざるを得ない状況にあるからである。第二に、時計ケースをステンレスやチタン等の金属で形成する場合、標準電波を受信しにくい環境となっているからである。
そのため、特にアンテナサイズの寸法の制約が厳しい腕時計にあっては、アンテナの受信感度の更なる改善が求められている。
【０００４】
そこで、近年、アンテナとして、平面円弧状のアモルファス箔を時計の厚み方向に積層した磁性体コアにコイルを巻回したものが考えられている（例えば、特許文献１参照）。
これは、コイル両端部の磁性体形状を時計ケースの側面に沿う形とし、アンテナと時計ケース（金属製ケース）とを、アンテナ指向性を考慮した配置とすることで、受信感度の低下を防ぐものである。また、同じ目的を持つアンテナ構造として、平面多角形状の辺の形にコアを屈曲し、そこにコイルを巻回したものが考えられている（例えば、特許文献１参照）。
【特許文献１】特開２００５−７７３６１号公報の図８及び図１１
【発明の開示】
【発明が解決しようとする課題】
【０００５】
しかしながら、上記特許文献１のアンテナでは次のような問題がある。
即ち、上記特許文献１の前者のアンテナでは、磁性体コアは全体として円弧状となっているため、巻線機でコイルを巻回する際に、磁性体コアに対してコイルの巻回方向を連続的に変えなければならないことから、コイル巻回作業が煩雑となる。
また、コアが湾曲しているため、コア外側の巻線密度に対して、コア内側の巻線密度が高くなり、特に、多層巻きの場合、コア内側の巻線厚みが増え、コア内側の時計部品収納スペースが侵食されるという問題が生じる。この問題は、上記特許文献１の後者のアンテナでも生じる。
また、湾曲又は屈曲したコアに隙間無くコイルを巻回する場合、巻回方向が異なるコイル同士がコア内側で干渉した状態（重なり合う状態）で巻回されることとなるため、磁束の方向とコイルとが直角とならないことから、ファラデーの起電力が小さくなってしまい、その分、受信感度が低下してしまうという問題がある。
本発明は、上記課題に鑑みてなされたものであり、コイルの巻回作業が容易で、しかも、受信感度が良好なアンテナ、および、このアンテナを備える電波時計を提供することを目的とする。
【課題を解決するための手段】
【０００６】
請求項１に記載のアンテナは、磁性体と、前記磁性体に巻回されたコイルとを備え、機器ケース内に設置されるアンテナにおいて、前記磁性体は複数の直線部分を備え、その複数の直線部分の中で少なくとも２以上の直線部分に前記コイルが互いに非干渉状態となるように分割されて巻回されていることを特徴とする。ここで、「磁性体」はコアだけからなる場合と、コアと外部磁性体とからなる場合もある。また、コアは薄板の積層体の場合もあるし、バルク状の場合もある。なお、ここで、「非干渉状態で巻回」とは、一の直線部分に巻回されるべきコイルが他の直線部分に巻回されるコイルと重なり合わないように巻回される状態を意味する。
【０００７】
請求項２に記載のアンテナは、請求項１に記載のアンテナにおいて、前記磁性体のコイル突出部分は、前記機器ケースの内周に沿って延在する形状に形成されていることを特徴とする。
【０００８】
請求項３に記載のアンテナは、請求項１又は２に記載のアンテナにおいて、前記２以上の直線部分には、一の直線部分と、その一の直線部分の長手方向両側に位置する２つの直線部分とが含まれ、前記２つの直線部分は、同一直線上に位置し、かつ、前記一の直線部分に対しては段違いに形成されていることを特徴とする。
【０００９】
請求項４に記載のアンテナは、請求項３に記載のアンテナにおいて、前記２つの直線部分は、前記一の直線部分と、隣り合う端部同士が一部重畳された態様で連結されていることを特徴とする。
【００１０】
請求項５に記載のアンテナは、請求項１に記載のアンテナにおいて、前記磁性体は屈曲され、前記コイルが巻回される前記２以上の直線部分は屈曲部を挟んだ両側位置に形成されていることを特徴とする。
【００１１】
請求項６に記載の電波時計は、請求項１〜５の何れか一に記載のアンテナを、前記機器ケースである時計ケース内に備えることを特徴とする。
【発明の効果】
【００１２】
請求項１に記載のアンテナによれば、直線部分だけにコイルの巻回作業を行うこととなるので、コイルの巻回作業を迅速かつ確実に行うことができる。
また、直線部分だけにコイルが巻回されるので、コイルの巻線密度を均一とすることができる。その結果、機器部品を収納するスペースが侵食されることが少なくなる。また、磁性体はコイルが巻回される直線部分を２以上備えるので、機器ケース自体の形状や機器部品の配置等に起因してアンテナの設置場所又はサイズが制約を受けて、コイルが巻回される１つの磁性体部分ではコイルの巻数が不足するときでも、２以上の直線部分にコイルを分割して巻回することで必要な巻数を確保することが可能となる。例えば、機器ケースが環状であり、かつ、コイルが巻回される磁性体部分（コア）が機器ケースの隅部に設けられる場合には、コアの長さ寸法を大きくすることができずコイルの巻数が不足することがあるが、請求項１に記載のアンテナのようにコアを２以上に分けて形成することで、必要な巻数を確保することが可能となる。
また、２以上の直線部分の各々には、他の直線部分に巻回される前記コイルと干渉し合わない状態で前記コイルが分割して巻回されているので、磁束の方向とコイルとが直角になることからファラデーの起電力を向上させることができる。
【００１３】
請求項２に記載のアンテナによれば、磁性体のコイル突出部分が機器ケースの内周に沿って延在する形状に形成されている。このアンテナを備える電波時計は、一般に、時計ケース内の中央部には機器部品（例えば、腕時計の場合、モータ、電池、駆動部等）が集中する一方、機器ケース内の周辺部は比較的にデッドスペースが多い。従って、請求項２に記載の発明によれば、デッドスペースが効果的に利用できる。そして、磁性体のコイル突出部分の磁性体に磁束が引き付けられてコイル巻回部分を通過する磁束が増大することから、アンテナの受信感度が向上する。また、時計ケース内の中央部に集中する多くの部品の組立てに支障が生ずることが少ない。
【００１４】
請求項３に記載のアンテナによれば、コイルが巻回される２以上の直線部分には、一の直線部分と、その一の直線部分の長手方向両側に位置する２つの直線部分とが含まれ、その２つの直線部分は、一の直線部分とは段違いに形成され、かつ、同一直線上に並設されているので、コイルの巻数を増大させることができる。このアンテナは、時計ケースが環状の場合に特に有効である。
【００１５】
請求項４に記載のアンテナによれば、コイルが巻回される２つの直線部分は第１の直線部分と隣り合う端部同士が一部重畳された態様で連結されているので、コイルに直交する向きの磁束ベクトルを増大させることができる。その結果、受信感度を高めることができる。
【００１６】
請求項５に記載のアンテナによれば、磁性体は屈曲され、コイルが巻回される２以上の直線部分は屈曲部を挟んだ両側位置に形成されているので、コイルの巻数を増大させることができる。
【００１７】
請求項６に記載の電波時計は、請求項１〜５の何れか一に記載のアンテナを備えるので、時計部品を収納するスペースが侵食されることが少なくて済み、かつ、高感度の電波時計を実現できる。
【発明を実施するための最良の形態】
【００１８】
［第１実施形態］
図１から図４は第１実施形態を示している。ここで、図１は、第１実施形態に係る電波時計（電子機器の一例）の平面図、図２は、電波時計１のII−II矢視断面図、図３はアンテナの構成を示す平面図、図４は、電波時計の内部構成を示すブロック図である。
【００１９】
図１から図３に示すように、電波時計（腕時計）１は、時計モジュール２０等を内部に収納する時計ケース１０を備えている。また、時計ケース１０の外周部分であって６時及び１２時それぞれの位置には、電波時計１をユーザの手首に装着するための時計バンド６０が取り付けられているとともに、時計ケース１０の外周側面には、電波時計１の各種機能の実行を指示するためのスイッチ１１が設けられている。そして、時計ケース１０にはアンテナ３０Ａと、指針駆動用のモータＭが内蔵されている。
【００２０】
ここで、時計ケース１０は、ステンレスやチタン等の金属により環状の短柱形状に形成されている。従って、時計ケース１０は上下端（図２中、上下）が開口した形状となっている。また、時計ケース１０の６時及び１２時それぞれの位置の側方部分には、時計バンド６０を取り付けるための延出部が形成されており、この延出部には、時計バンド６０を取り付けるピンを通すための孔部１０ａ、１０ａが形成されている。
【００２１】
時計ケース１０の上端部（図２中、上側）には、この上端部を塞ぐように時計ガラス１２がパッキン１３を介して嵌められている。一方、時計ケース１０の下端部（図２中、下側）には、この下端部を塞ぐように裏蓋１４がＯリング１５を介して取り付けられている。裏蓋１４は、ステンレスやチタン等の強度が強い金属により、厚みが薄いほぼ平板状に形成されている。
【００２２】
時計ケース１０の内部には時計モジュール２０が収納されている。この時計モジュール２０の上面に装飾板である文字板（時刻表示板）２１が配置されている。時計モジュール２０は、標準電波を受信するアンテナ３０Ａやアナログ指針機構、このアナログ指針機構等を接続してこれらを制御する回路基板（図示省略）を含んでいる。このうち、アンテナ３０Ａは、時計ケース１０内において、文字板２１を挟んで時計ガラス１２側の開口部とは反対側の位置に配置されている。
【００２３】
アナログ指針機構は、文字板２１の中央部に形成された軸孔からその上方に伸びる指針軸と、この指針軸に取り付けられた時針や分針等の指針２２とを有し、指針２２を文字板２１の上方で運針させる。また、回路基板は、ＣＰＵ等の制御ＩＣと、発振回路を有して現在時刻を計時する計時回路と、アンテナ３０Ａによる受信信号を増幅・検波して標準電波に含まれるタイムコードを取り出す受信回路とを回路要素としている。制御ＩＣは、受信回路で取り出されたタイムコードに基づいて計時回路による現在時刻を修正し、修正した現在時刻を示すようにアナログ指針機構を制御して指針２２を運針させる処理等を行う。
【００２４】
図４に示すように、電波時計１は、ＣＰＵ１００と、入力部２００と、表示部３００と、ＲＯＭ４００と、ＲＡＭ５００と、受信制御回路部６００と、計時回路部７００と、発振回路部７２０とを備えて構成される。
【００２５】
ＣＰＵ１００は、所定のタイミング或いは入力部２００から入力された操作信号に応じてＲＯＭ４００に格納されたプログラムを読み出してＲＡＭ５００に展開し、該プログラムに基づいて電波時計１を構成する各部への指示やデータの転送等を行う。具体的には、例えば、所定時間毎に受信制御回路部６００を制御して標準電波の受信を行わせ、受信信号を基に計時回路部７００で計時される現在時刻データを修正する処理や、計時回路部７００によって計時された現在時刻を表示部３００に表示させる処理等を行う。
【００２６】
入力部２００は、電波時計１の各種機能の実行を指示するためのスイッチ１１を含み、このスイッチ１１が操作されると、対応する操作信号をＣＰＵ１００に出力する。表示部３００は、文字板２１や、ＣＰＵ１００によって制御されるアナログ指針機構等を含み、計時回路部７００によって計時された現在時刻を表示する。
【００２７】
ＲＯＭ４００は、電波時計１にかかるシステムプログラムやアプリケーションプログラム、本実施形態を実現するためのプログラムやデータ等を記憶する。ＲＡＭ５００は、ＣＰＵ１００の作業領域として用いられ、ＲＯＭ４００から読み出されたプログラムやデータ、ＣＰＵ１００で処理されたデータ等を一時的に記憶する。
【００２８】
受信制御回路部６００は、アンテナ３０Ａでの受信信号から不要な周波数成分をカットして所定の周波数信号を取り出し、この周波数信号を対応する電気信号に変換してＣＰＵ１００に出力する。計時回路部７００は、発振回路部７２０から入力される信号を計数して現在時刻を計時し、現在時刻データをＣＰＵ１００に出力する。発振回路部７２０は、常時一定周波数のクロック信号を出力する回路である。
【００２９】
次に、アンテナ３０Ａについて説明する。アンテナ３０Ａは、図３（A）に示すように、コア３１Ａと、コイル３２とを備えて構成されている。このアンテナ３０Ａは、時計ケース１０や裏蓋１４が金属で構成される場合には、文字板２１側にできるだけ近付けて設けることが好ましい。また、アンテナ３０Ａの両端部は、文字板２１側にできるだけ沿うような形で、長くなる程好ましい。
【００３０】
ここで、コア３１Ａは、アモルファス金属からなる磁性材料の薄片を複数枚積層（例えば３０〜４０枚程度積層）してなる積層コアとして構成されている。そして、コア３１Ａの中央部分は「コ」字状に外方に膨らむとともに、コア３１Ａの両端部は、時計ケース１０の内周形状に沿うように弧状に湾曲した形状をなしている。
具体的には、コア３１Ａは、第１の直線部分３１ａと、２つの第２の直線部分３１ｂ，３１ｂと、２つの第３の直線部分３１ｃ，３１ｃと、２つの三日月状部分３１ｄ，３１ｄとから構成されている。このうち、第１の直線部分３１ａは、特に限定はされないが、時計ケース１０の隅部（時計の１２時の方向の隅部）に配置され、３時−９時の方向と平行に延在している。この第１の直線部分３１ａはコア３１Ａの中央部分を構成する。この第１の直線部分３１ａの両端部には、該第１の直線部分と直交する方向（６時−１２時の方向に平行な方向）で、かつ、該第１の直線部分の両端部から同一方向に延びる同じ長さの２つの第２の直線部分３１ｂ，３１ｂが連設されている。即ち、第１の直線部分３１ａと２つの第２の直線部分３１ｂ，３１ｂとは文字板２１側から見て「コ」字状をなしている。また、２つの第２の直線部分３１ｂ，３１ｂの先端部には、該第２の直線部分３１ｂ，３１ｂと直交する方向（３時−９時の方向と平行な方向）で、かつ、該第２の直線部分３１ｂ，３１ｂの先端部から互いに離反する方向（外方）に延びる同じ長さの第３の直線部分３１ｃ，３１ｃが連設されている。さらに、２つの第３の直線部分３１ｃ，３１ｃの先端部には、（６時−１２時の方向に平行な向きで）同一方向に向けて延在する三日月状部分３１ｄ，３１ｄが連設されている。この２つの三日月状部分３１ｄ，３１ｄは、時計ケース１０の外方へ向けて膨らみ出す形状を持ち、時計ケース１０の内周に沿って延在している。
【００３１】
そして、コイル３２は、第１の直線部分３１ａ及び２つの第３の直線部分３１ｃ，３１ｃだけに分割されて巻回されている。この様子が図３（B）に示されている。なお、第１の直線部分３１ａ及び２つの第３の直線部分３１ｃ，３１ｃに互いに干渉し合わない状態で分割されて巻回されたコイル３２は、図示はしないが互いに接続されている。
【００３２】
以上のように構成された第１実施形態によれば、互いに平行に延在する第１の直線部分３１ａと第３の直線部分３１ｃ，３１ｃだけにコイルを巻回しているので、比較的簡単にコイル３２の巻回作業を行うことができる。また、第１の直線部分３１ａ及び第３の直線部分３１ｃ，３１ｃには、コイル３２が分割されて互いに干渉し合わない状態で巻回されているので、時計部品収納スペースが侵食されることが少なくて済む。
また、直線部分だけにコイル３２が巻回されるため、多層巻きの場合にも、可及的に磁束の方向をコイルと直角とすることができることから、ファラデーの起電力を向上させることができる。従って、第１実施形態によれば、コアを湾曲させてそこにコイルを巻回した場合に比べて、受信感度が向上することになる。
また、コア３１Ａが段状に形成され、その段状の直線部分にコイル３２が分割されて巻回されているので、環状の時計ケース１０において、コイルの巻数を増大させることができる。
さらに、コア３１Ａの両端部分が時計ケース１０の内周に沿って延びているため、当該延在部分で磁束が引き付けられるので、コイル巻回部分の磁束を増大させることができることから、この点でも受信感度が向上することになる。
【００３３】
［第１実施形態の変形例１］
図５は第１実施形態の変形例１を示すものである。このうち、同図（A）は、時計ケース内に設置されるコアの平面図、同図（B）は文字板側から見た、コイルを巻回した状態のコアの平面図である。
この変形例１のアンテナ３０Ｂにおけるコアは第１実施形態のコア３１Ａと同じ構造及び形状となっている。従って、変形例１の説明において、コアについて同一符号３１Ａを使用する。この第２実施形態のアンテナ３０Ｂが第１実施形態のアンテナ３０Ａと異なる点は、第２実施形態のアンテナ３０Ｂの方が第１実施形態のアンテナ３０Ａと比べてコイル３２の巻回箇所が多い点である。なお、この変形例１において、他の構成は第１実施形態と同様であるので、その説明は適宜に省略する。
【００３４】
この変形例１では、コア３１Ａを構成する第１の直線部分３１ａと２つの第３の直線部分３１ｃ，３１ｃのみならず、２つの第２の直線部分３１ｂ，３１ｂにもコイル３２を巻回している。そして、２つの第２の直線部分３１ｂ，３１ｂにコイル３２を巻回する場合、２つの第２直線部分３１ｂ，３１ｂの短手方向とコイル３２の軸線が平行となるようにコイル３２を巻回している。この場合、各直線部分に巻回されるコイル３２は分割されて互いに非干渉状態で巻回されている。
【００３５】
この変形例１によれば、第１実施形態に比べて、コイル３２の巻数が増大するので、その分、起電力が増え、さらに受信感度が向上する。
【００３６】
［第１実施形態の変形例２］
図６は第１実施形態の変形例２を示すものである。このうち、同図（A）は、時計ケース内に設置されるコアの平面図、同図（B）は文字板側から見た、コイルを巻回した状態のコアの平面図である。また、図７は変形例２と比較例との磁束ベクトルの比較図であり、同図（A）は比較例のアンテナの磁束ベクトルを説明するための模式図、同図（B）は変形例２のアンテナの磁束ベクトルを説明するための模式図である。
【００３７】
第１実施形態の変形例２のアンテナ３０Ｃが第１実施形態のアンテナ３０Ａと異なる点は、変形例２のアンテナのコア３３の第１の直線部分３３ａ（第１実施形態のアンテナ３０Ａの第１の直線部分３１ａに相当）と、第２の直線部分３３ｂ，３３ｂ（第１実施形態のアンテナ３０Ａの第３の直線部分３１ｃ，３１ｃに相当）との段差が第１実施形態のアンテナ３０Ａに比べて小さく、第１実施形態のアンテナ３０Ａの第２の直線部分３１ｂ，３１ｂに相当するものが存在しない点である。即ち、変形例２においては、２つの直線部分は前記第１の直線部分と第１の直線部分３３ａと、第２の直線部分３３ｂ，３３ｂとは隣り合う端部同士が一部重畳された態様で連結されている。この場合、第１の直線部分３３ａと第２の直線部分３３ｂ，３３ｂの幅が同じである場合には、その幅の半分程度の段差で両者を連結することが好ましい。
変形例２のその他の構成は、第１実施形成のアンテナ３０Ａと同様となっている。例えば、変形例２のアンテナ３０Ｃの２つの三日月状部分３３ｃ，３３ｃは第１実施形態のアンテナ３０Ａの２つの三日月状部分３１ｄ，３１ｄに相当する。従って、同様な部分の説明は省略する。
【００３８】
以上のように構成された変形例２によれば、図７（A），（B）に模式的に示すように、直線部分の隣り合う端部同士を重畳させない態様で連結した場合に比べて、コイル３２に直交する磁束ベクトルを増大させることができるので、その分、受信感度を向上させることができる。
【００３９】
なお、変形例２では、第１の直線部分３３ａと、第２の直線部分３３ｂ，３３ｂとは隣り合う端部同士が一部重畳された態様で連結されているが、２つの直線部分は前記第１の直線部分と第１の直線部分３３ａと、第２の直線部分３３ｂ，３３ｂとの端同士の一部を接触させた態様、つまり、突き合わせた態様で連結させても良い。即ち、段差のずれ量を第１の直線部分３３ａと、第２の直線部分３３ｂ，３３ｂの各幅よりも小さく設定し、端同士を接触させた状態で連結させても良い。
【００４０】
［第２実施形態］
図８は第２実施形態を示すものである。このうち、同図（A）は、時計ケース内に設置されるコアの平面図、同図（B）は文字板側から見た、コイルを巻回した状態のコアの平面図である。
【００４１】
この第２実施形態のアンテナ３０Ｄが第１実施形態のアンテナ３０Ａと異なる点は、第１実施形態のアンテナ３０Ａでは、コア３１Ａが２つの第２の直線部分３１ｂ，３１ｂを介して段差をもって互いに平行な第１の直線部分３１ａと２つの第３の直線部分３１ｃ，３１ｃとを備えるのに対して、第２実施形態のアンテナ３０Ｄでは、コア３１Ｄの中央が屈曲され、その屈曲部の両側に直線部分３４ａ，３４ａを備え、その直線部分３４ａ，３４ａにコイル３２が分割されて互いに干渉し合わない状態で巻回されている点である。
第２実施形態のアンテナ３０Ｄのその他の構成は、第１実施形成のアンテナ３０Ａと同様となっている。例えば、第２実施形態のアンテナ３０Ｄの２つの三日月状部分３４ｂ，３４ｂは第１実施形態のアンテナ３０Ａの２つの三日月状部分３１ｄ，３１ｄに相当する。従って、同様な部分の説明は省略する。
【００４２】
この第２実施形態によれば、直線部分３４ａ，３４ａだけに互いに干渉し合わない状態でコイル３２が巻回されるので、時計部品収納スペースが侵食されることが少なくて済むとともに、受信感度の向上が図れる。
【００４３】
［第３実施形態］
図９は第３実施形態を示すものである。このうち、同図（A）は、時計ケース内に設置されるコアの平面図、同図（B）は文字板側から見た、コイルを巻回した状態のコアの平面図である。
この第３実施形態のアンテナ３０Ｅが第２実施形態のアンテナ３０Ｄと異なる点は、第２実施形態のアンテナ３０Ｄでは、コア３１Ｄの中央が屈曲され、その屈曲部の両側に直線部分３４ａ，３４ａを備え、その直線部分３４ａ，３４ａにコイル３２が分割して互いに干渉し合わない状態で巻回されているのに対して、第３実施形態のアンテナ３０Ｅでは、コア３１Ｅの中央に第１の直線部分３５ａを備えるとともとに、その両側が屈曲され、その屈曲部の外側に第２の直線部分３５ｂ，３５ｂをそれそれ備え、第１の直線部分３５ａと２つの第２の直線部分３５ｂ，３５ｂとにコイル３２が互いに非干渉状態で分割して巻回されている点である。
第３実施形態のアンテナ３０Ｅのその他の構成は、第１実施形成のアンテナ３０Ａと同様となっている。例えば、第３実施形態のアンテナ３０Ｅの２つの三日月状部分３５ｃ，３５ｃは第２実施形態のアンテナ３０Ｄの２つの三日月状部分３４ｂ，３４ｂに相当する。従って、同様な部分の説明は省略する。
【００４４】
この第３実施形態のアンテナ３０Ｅによれば、第１の直線部分３５ａと２つの直線部分３５ｂ，３５ｂとだけにコイル３２が分割されて互いに干渉し合わない状態で巻回されるので、その設置スペースが小さくて済む。
また、この第３実施形態のアンテナ３０Ｅによれば、第２実施形態のアンテナ３０Ｄの場合に比べて、コイル３２の巻回箇所が増えるので、受信感度を増すことができる。
【００４５】
以上、本発明の実施形態及びその変形例について説明したが、本発明は、かかる実施形態及び変形例には限定されず、その要旨を逸脱しない範囲で、種々の変形が可能であることはいうまでもない。
【００４６】
例えば、時計ケースは、ステンレスやチタン等の金属により環状の短柱形状に形成されているが、一部を円弧状に形成し、その円弧状の時計ケースの内側部分に配置されるようにしていても良い。また、電波時計にこの発明を適用した場合について説明しているが、携帯電話、携帯端末などの各種の電子機器に適用可能である。さらに、上記の実施形態及びその変形例では、コイル３２が巻回されるコアとして、アモルファス金属から構成したものを示したが、フェライトやパーマロイ等の他の磁性体としても良い。
【００４７】
また、上記の実施形態及びその変形例では、アンテナの磁性体全体がコアから構成されるものを示したが、コアの両端に外部磁性体を設けても良い。
【００４８】
さらに、上記実施形態及びその変形例では、コアが磁性材料の薄片を複数枚積層してなる積層コアとして構成されたものを示したが、コアをバルク状のものとしても良い。ここで、バルク状とは、鋳型や金型を利用して作る固体の形状を意味している。
【００４９】
なお、受信する電波としては、長波帯の標準電波（４０ｋＨｚ〜７７．５ｋＨｚ）を例に説明したが、本発明は、ＲＦＩＤや微弱電波、他の無線規格の電波でも有効であることは勿論である。
【図面の簡単な説明】
【００５０】
【図１】本発明の第１実施形態における電波時計の平面図。
【図２】本発明の第１実施形態における腕時計のＩＩ−ＩＩ矢視断面図。
【図３】（A）は、本発明の第１実施形態におけるコアの平面図、（B）は、アンテナの平面図。
【図４】本発明の第１実施形態における腕時計の内部構成を示すブロック図。
【図５】（A）は、本発明の第１実施形態の変形例１におけるコアの平面図、（B）は、アンテナの平面図。
【図６】（A）は、本発明の第１実施形態の変形例２におけるコアの平面図、（B）は、アンテナの平面図。
【図７】（A）は比較例のアンテナの磁束ベクトルを説明するための図であり、（B）は変形例２のアンテナの磁束ベクトルを説明するための図。
【図８】（A）は、本発明の第２実施形態の変形例１におけるコアの平面図、（B）は、アンテナの平面図。
【図９】（A）は、本発明の第３実施形態の変形例１におけるコアの平面図、（B）は、アンテナの平面図。
【符号の説明】
【００５１】
１  電波時計
１０  時計ケース
３０Ａ，３０Ｂ，３０Ｃ，３０Ｄ，３０Ｅ  アンテナ
３１Ａ，３１Ｃ，３１Ｄ，３１Ｅ  コア
３２  コイル
【図１】
2008076165.tif 000003
【図２】
2008076165.tif 000004
【図３】
2008076165.tif 000005
【図４】
2008076165.tif 000006
【図５】
2008076165.tif 000007
【図６】
2008076165.tif 000008
【図７】
2008076165.tif 000009
【図８】
2008076165.tif 000010
【図９】
2008076165.tif 000011